Podtech/llm-jp-corpus-v4-ja_patent huggingface dataset:
【手続補正書】
【提出日】令和2年9月3日(2020.9.3)
【手続補正１】
【補正対象書類名】明細書
【補正対象項目名】００１８
【補正方法】変更
【補正の内容】
【００１８】
［コンセプト］
「習慣が改善する」ということは、今まで「普通」だと思っていた自分の生活を望ましい状態に変化させ、それ以降はその望ましい生活をこれからの「普通」と認識させることである。習慣の改善を実現するための手順は、以下に示す通りである。（１）「これから」の望ましい普通がどんな状態かを把握する。（２）「今まで」の普通からどんな変化が必要かを理解する。（３）自分にとって負担のない小さな変化を確実に実行する。（４）到達した「これから」の望ましい状態を自分の普通と認識する。
【手続補正２】
【補正対象書類名】明細書
【補正対象項目名】００３２
【補正方法】変更
【補正の内容】
【００３２】
記憶部１２０は、制御部１１０でプログラムを実行するために必要な作業領域として用いられるＲＡＭ（Random  Access  Memory）と、制御部１１０で実行するためのプログラムを記憶するためのＲＯＭ（Read  Only  Memory）とを含む。また、ＲＡＭには、所定の処理を実行するためのプログラムおよびデータが、操作部１３０、無線通信部１７０または外部記憶装置１５０から読込まれて記憶される。さらに、ＲＡＭの記憶領域を補助するための補助記憶装置として、ハードディスクドライブまたはメモリカードが用いられてもよい。
【手続補正３】
【補正対象書類名】明細書
【補正対象項目名】００３３
【補正方法】変更
【補正の内容】
【００３３】
外部記憶装置１５０は、メモリカードリーダライタで構成される。外部記憶装置１５０は、制御部１１０から受けた所定のデータまたはプログラムを、メモリカードやＵＳＢ（Universal  Serial  Bus）メモリなどの記録媒体１５１に電気的に記録したり、記録媒体１５１から読出して制御部１１０に受け渡したりする。なお、外部記憶装置１５０は、ハードディスクドライブ、フレキシブルディスクドライブ、ＭＯ（Magneto-Optical  disk）ドライブ、ＣＤ（Compact  Disc）ドライブ、または、ＤＶＤ（Digital  Versatile  Disc）ドライブなどの記憶装置で構成されるようにしてもよい。
【手続補正４】
【補正対象書類名】明細書
【補正対象項目名】００４３
【補正方法】変更
【補正の内容】
【００４３】
記録媒体２５１としては、ハードディスク，フレキシブルディスクなどの磁気ディスク、ＣＤ−ＲＯＭ（Compact  Disc  Read  Only  Memory），ＣＤ−Ｒ（Compact  Disc  Recordable），ＣＤ−ＲＷ（Compact  Disc  ReWritable），ＤＶＤ−ＲＯＭ（Digital  Versatile  Disc  Read  Only  Memory），ＤＶＤ−Ｒ（Digital  Versatile  Disc  Recordable），ＤＶＤ−ＲＷ（Digital  Versatile  Disc  Rerecordable  Disc），ＤＶＤ−ＲＡＭ（Digital  Versatile  Disc  Random  Access  Memory），ＤＶＤ＋Ｒ，ＤＶＤ＋ＲＷ（Digital  Versatile  Disc  ReWritable），ＢＤ−Ｒ（Blu-ray（登録商標）  Disc  Recordable），ＢＤ―ＲＥ（Blu-ray（登録商標）  Disc  Rewritable），ＢＤ―ＲＯＭ（Blu-ray（登録商標）  Disc  Read  Only  Memory）などの光ディスク、ＭＯなどの光磁気ディスク、メモリカード、または、ＵＳＢメモリなどがある。
【手続補正５】
【補正対象書類名】明細書
【補正対象項目名】０１１４
【補正方法】変更
【補正の内容】
【０１１４】
次に、制御部２１０は、取得した当該ユーザ１０の現状の指標の値と、現在の当該ユーザ１０の目標ルートの指標の値とを比較して、当該ユーザ１０の現状の指標の値が、−σ〜σの「理想範囲」であるか、−２σ〜−σまたはσ〜２σの「許容範囲」であるか、−３σ〜−２σまたは２σ〜３σの「限度範囲」であるか、−３σ未満または３σ超の「失敗範囲」であるかの乖離度を判定することによって、当該ユーザ１０の目標管理の進捗度を判定する（ステップＳ１４７）。具体的には、乖離度が「理想範囲」、「許容範囲」および「限度範囲」であると判定した場合、それぞれ、進捗度が「優」、「良」および「可」であると判定する。
【手続補正６】
【補正対象書類名】明細書
【補正対象項目名】０１１５
【補正方法】変更
【補正の内容】
【０１１５】
なお、乖離度は、このような「許容範囲」、「限度範囲」および「失敗範囲」といった段階的なものに限定されず、当該ユーザ１０の現状の指標の値と、現在の当該ユーザ１０の目標ルートの指標の値との乖離を示す度合いであれば、他の度合いであってもよく、たとえば、当該ユーザ１０の現状の指標の値と、現在の当該ユーザ１０の目標ルートの指標の値との差の値であってもよいし、現在の当該ユーザ１０の目標ルートの指標の値に対する当該ユーザ１０の現状の指標の値の比率であってもよい。
【手続補正７】
【補正対象書類名】明細書
【補正対象項目名】０１７４
【補正方法】変更
【補正の内容】
【０１７４】
（１−３）  図１５のステップＳ１１２からステップＳ１１７で示したように、制御部２１０は、第１目標を言語解析した意味に対応する少なくとも１つの特徴量についての定量的な目標に、第１目標を変換する。これにより、第１目標の意味に対応する特徴量についての定量的な目標を示すことができる。
【手続補正８】
【補正対象書類名】明細書
【補正対象項目名】０２０１
【補正方法】変更
【補正の内容】
【０２０１】
１０，２０，３０  ユーザ、１００，１００Ａ，１００Ｂ，１００Ｃ  情報通信端末、１１０，２１０，５１０  制御部、１２０，２２０，５２０  記憶部、１３０，５３０  操作部、１４０，５４０  出力部、１５０，２５０  外部記憶装置、１５１，２５１  記録媒体、１７０，５７０  無線通信部、２００，３００  サーバ、２６０  通信部、５００  測定装置、５８０  測定部、８００，８００Ａ，８００Ｂ  通信設備、９００  通信ネットワーク。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
基板検知センサおよび膜厚センサが内部に配置された研磨テーブルを回転させ、
リテーナリングを備えた研磨ヘッドにより基板を前記研磨テーブル上の研磨パッドに押し付けて該基板を研磨し、
前記基板の研磨中に、前記基板検知センサおよび前記膜厚センサが前記基板の表面を横切りながら、前記基板検知センサが基板検知信号を予め設定された周期で生成し、かつ前記膜厚センサが所定の測定点で膜厚信号を生成し、
前記基板検知信号の数から、前記研磨ヘッドの中心に対する前記基板の中心の偏心角度を算出し、
前記偏心角度に基づいて、前記所定の測定点の位置を補正し、
前記所定の測定点の補正された位置と、前記膜厚信号とに基づいて、前記研磨ヘッドが前記基板を押し付ける研磨圧力を制御することを特徴とする研磨方法。
【請求項２】
前記研磨テーブルの中心から前記基板検知センサまでの距離は、前記研磨テーブルの中心から前記膜厚センサまでの距離よりも短いことを特徴とする請求項１に記載の研磨方法。
【請求項３】
前記基板の研磨中に、前記基板検知センサは前記基板のエッジ部を横切り、前記膜厚センサは前記エッジ部および該エッジ部の内側の領域を横切ることを特徴とする請求項２に記載の研磨方法。
【請求項４】
前記偏心角度に基づいて、前記所定の測定点の位置を補正する工程は、
前記基板の直径と前記リテーナリングの内径との差を２で割った数値と、前記偏心角度から、座標補正値を算出し、
前記座標補正値に基づいて、前記所定の測定点の位置を補正する工程であることを特徴とする請求項１乃至３のいずれか一項に記載の研磨方法。
【請求項５】
前記基板検知センサは膜厚センサであることを特徴とする請求項１乃至４のいずれか一項に記載の研磨方法。
【請求項６】
前記基板検知センサは、光学式膜厚センサであることを特徴とする請求項５に記載の研磨方法。
【請求項７】
前記基板検知センサは、渦電流センサであることを特徴とする請求項５に記載の研磨方法。
【請求項８】
研磨パッドを支持するための研磨テーブルと、
基板を前記研磨パッドに押し付けて前記基板を研磨する研磨ヘッドと、
前記研磨テーブルに設置され、膜厚信号を所定の測定点で生成する膜厚センサと、
前記研磨テーブルに設置され、基板検知信号を予め設定された周期で生成する基板検知センサと、
前記基板検知信号の数から、前記研磨ヘッドの中心に対する前記基板の中心の偏心角度を算出し、前記偏心角度に基づいて、前記所定の測定点の位置を補正し、前記所定の測定点の補正された位置と、前記膜厚信号とに基づいて、前記研磨ヘッドが前記基板を押し付ける研磨圧力の目標値を決定するデータ処理部と、
前記研磨圧力の目標値に基づいて、前記研磨ヘッドが前記基板を押し付ける研磨圧力を制御する動作制御部を備えたことを特徴とする研磨装置。
【請求項９】
前記研磨テーブルの中心から前記基板検知センサまでの距離は、前記研磨テーブルの中心から前記膜厚センサまでの距離よりも短いことを特徴とする請求項８に記載の研磨装置。
【請求項１０】
前記データ処理部は、
前記基板の直径と前記研磨ヘッドに備えられたリテーナリングの内径との差を２で割った数値と、前記偏心角度から、座標補正値を算出し、
前記座標補正値に基づいて、前記所定の測定点の位置を補正するように構成されていることを特徴とする請求項８または９に記載の研磨装置。
【請求項１１】
前記基板検知センサは膜厚センサであることを特徴とする請求項８乃至１０のいずれか一項に記載の研磨装置。
【請求項１２】
前記基板検知センサは、光学式膜厚センサであることを特徴とする請求項１１に記載の研磨装置。
【請求項１３】
前記基板検知センサは、渦電流センサであることを特徴とする請求項１１に記載の研磨装置。
【手続補正２】
【補正対象書類名】明細書
【補正対象項目名】００１３
【補正方法】変更
【補正の内容】
【００１３】
本発明の好ましい態様は、前記研磨テーブルの中心から前記基板検知センサまでの距離は、前記研磨テーブルの中心から前記膜厚センサまでの距離よりも短いことを特徴とする。
本発明の好ましい態様は、前記データ処理部は、前記基板の直径と前記研磨ヘッドに備えられたリテーナリングの内径との差を２で割った数値と、前記偏心角度から、座標補正値を算出し、前記座標補正値に基づいて、前記所定の測定点の位置を補正するように構成されていることを特徴とする。
本発明の好ましい態様は、前記基板検知センサは膜厚センサであることを特徴とする。
本発明の好ましい態様は、前記基板検知センサは、光学式膜厚センサであることを特徴とする。
本発明の好ましい態様は、前記基板検知センサは、渦電流センサであることを特徴とする。
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
荷電粒子ビームを放出する放出部と、
単一の第１開口が形成された制限アパーチャと、
複数の第２開口が形成され、前記複数の第２開口が含まれる領域に、前記第１開口を通過した前記荷電粒子ビームの照射を受け、前記複数の第２開口を前記荷電粒子ビームの一部がそれぞれ通過することによりマルチビームを形成する成形アパーチャアレイと、
前記複数の第２開口を通過したマルチビームのうち、それぞれ対応するビームが通過する複数の第３開口が形成され、各第３開口にビームのブランキング偏向を行うブランカが設けられたブランキングアパーチャアレイと、
を備え、
描画対象の基板の表面における前記複数の第２開口の像の結像倍率をＭ、ビーム集束角をα、前記成形アパーチャアレイの前記第２開口の配列ピッチをＰとする場合、前記制限アパーチャと前記成形アパーチャアレイとの間隔Ｄが
Ｄ≦Ｐ／（１０・Ｍ・α）
を満たすことを特徴とするマルチ荷電粒子ビーム描画装置。
【請求項２】
前記成形アパーチャアレイよりも光路の上流側に配置された照明レンズをさらに備え、
前記制限アパーチャは、前記照明レンズと前記成形アパーチャアレイとの間に配置されていることを特徴とする請求項１に記載のマルチ荷電粒子ビーム描画装置。
【請求項３】
前記成形アパーチャアレイよりも光路の上流側に配置された照明レンズと、
前記照明レンズと前記成形アパーチャアレイとの間に配置された静電レンズをさらに備え、
前記制限アパーチャは、前記照明レンズの中、又は前記照明レンズよりも光路の上流側に配置されていることを特徴とする請求項１に記載のマルチ荷電粒子ビーム描画装置。
【請求項４】
前記第１開口の形状、及び前記複数の第２開口の配置領域の形状は共に矩形であることを特徴とする請求項１乃至３のいずれかに記載のマルチ荷電粒子ビーム描画装置。
【請求項５】
前記第３開口の配列ピッチは、前記第２開口の配列ピッチよりも狭いことを特徴とする請求項１乃至４のいずれかに記載のマルチ荷電粒子ビーム描画装置。
【手続補正２】
【補正対象書類名】明細書
【補正対象項目名】０００９
【補正方法】変更
【補正の内容】
【０００９】
本発明の一態様によるマルチ荷電粒子ビーム描画装置は、荷電粒子ビームを放出する放出部と、単一の第１開口が形成された制限アパーチャと、複数の第２開口が形成され、前記複数の第２開口が含まれる領域に、前記第１開口を通過した前記荷電粒子ビームの照射を受け、前記複数の第２開口を前記荷電粒子ビームの一部がそれぞれ通過することによりマルチビームを形成する成形アパーチャアレイと、前記複数の第２開口を通過したマルチビームのうち、それぞれ対応するビームが通過する複数の第３開口が形成され、各第３開口にビームのブランキング偏向を行うブランカが設けられたブランキングアパーチャアレイと、を備え、描画対象の基板の表面における前記複数の第２開口の像の結像倍率をＭ、ビーム集束角をα、前記成形アパーチャアレイの前記第２開口の配列ピッチをＰとする場合、前記制限アパーチャと前記成形アパーチャアレイとの間隔ＤがＤ≦Ｐ／（１０・Ｍ・α）を満たすものである。
【手続補正３】
【補正対象書類名】明細書
【補正対象項目名】００１０
【補正方法】変更
【補正の内容】
【００１０】
本発明の一態様によるマルチ荷電粒子ビーム描画装置は、前記成形アパーチャアレイよりも光路の上流側に配置された照明レンズをさらに備え、前記制限アパーチャは、前記照明レンズと前記成形アパーチャアレイとの間に配置されている。
【手続補正４】
【補正対象書類名】明細書
【補正対象項目名】００１１
【補正方法】変更
【補正の内容】
【００１１】
本発明の一態様によるマルチ荷電粒子ビーム描画装置は、前記成形アパーチャアレイよりも光路の上流側に配置された照明レンズと、照明レンズと前記成形アパーチャアレイとの間に配置された静電レンズをさらに備え、前記制限アパーチャは、前記照明レンズの中、又は前記照明レンズよりも光路の上流側に配置されている。
【手続補正書】
【提出日】令和2年10月20日(2020.10.20)
【手続補正１】
【補正対象書類名】明細書
【補正対象項目名】０００６
【補正方法】変更
【補正の内容】
【０００６】
これらの半導体加工用シートは、ロールプロテクタで保持された状態で保管されることがある。そのような場合、低温で長期間保管されると、半導体加工用シートに皺が発生したり、積層部材同士で、剥離し易くなるという問題がある。
【手続補正２】
【補正対象書類名】明細書
【補正対象項目名】００１８
【補正方法】変更
【補正の内容】
【００１８】
従来の半導体加工用シート１０２と比較すると、本発明の半導体加工用シート１０１の場合、治具固定用テープ１４の厚さが、従来の半導体加工用シート１０２の治具固定用テープ１４’の厚さよりも薄くできているので、治具固定用テープ１４の内側の側面１４ｃが剥離フィルム１５としっかり接触しているか又は非接触部分は小さくなっており、そのためロール状態での長期低温保管時においても、当該非接触部分から剥離が進行することがなく、層間剥離を抑制することができる。
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
光電変換された電荷を増幅する増幅領域と、
前記増幅された電荷を出力するカソード電極と、
所定の基準電位が印加された基準電極と、
前記カソード電極および前記基準電極が埋め込まれて前記基準電極よりも不純物濃度が低いピニング領域と、
前記ピニング領域と前記増幅領域との間に配置されて前記ピニング領域よりも不純物濃度が低いバリア領域と
を具備するフォトダイオード。
【請求項２】
前記カソード電極は、受光面に平行な所定平面において前記ピニング領域の周囲に形成される
請求項１記載のフォトダイオード。
【請求項３】
前記カソード電極は、受光面に平行な所定平面において前記ピニング領域の内部に形成される
請求項１記載のフォトダイオード。
【請求項４】
受光面に平行な所定平面において前記カソード電極、前記基準電極および前記ピニング領域の形状は矩形である
請求項１から３のいずれかに記載のフォトダイオード。
【請求項５】
受光面に平行な所定平面において前記カソード電極、前記基準電極および前記ピニング領域の形状は円形および多角形のいずれかである
請求項１から３のいずれかに記載のフォトダイオード。
【請求項６】
光電変換された電荷を増幅する増幅領域と、
前記増幅された電荷を出力するための、電位が同一の一対の電極と、
前記一対の電極が埋め込まれたピニング領域と、
前記ピニング領域と前記増幅領域との間に配置されて前記ピニング領域よりも不純物濃度が低いバリア領域と
を具備するフォトダイオード。
【請求項７】
光電変換された電荷を増幅する増幅領域と、
前記増幅された電荷を出力するカソード電極と、
所定の基準電位が印加された基準電極と、
前記所定の基準電位よりも低い負バイアスがゲートに印加されたトランジスタと、
前記トランジスタと前記増幅領域との間に配置されたバリア領域と
を具備する画素回路。
【請求項８】
光電変換された電荷を増幅する増幅領域を形成する増幅領域手順と、
所定の基準電位が印加される基準電極よりも不純物濃度が低いピニング領域を形成するピニング領域形成手順と、
前記基準電極と前記増幅された電荷を出力するカソード電極とを前記ピニング領域に埋め込む電極形成手順と
を具備するフォトダイオードの製造方法。
【請求項９】
光電変換された電荷を増幅する増幅領域を形成する増幅領域手順と、
ピニング領域を形成するピニング領域形成手順と、
前記増幅された電荷を出力するための、電位が同一の一対の電極を前記ピニング領域に埋め込む電極形成手順と
を具備するフォトダイオードの製造方法。
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
液晶材料を貯蔵可能な液晶材料貯蔵容器の製造方法であって、
前記液晶材料貯蔵容器は、
上部に開口部を有しかつ底部の一部に下方に向けて窪む凹部を有する容器本体と、
前記容器本体の前記開口部を開閉可能とする蓋部と
を有し、
前記容器本体を、上下端が開口端とされた円筒状の中央部と、前記開口部を含む上端部と、前記底部を含む下端部とのパーツに分けて形成する工程と、
前記中央部の上端に前記上端部を接合し、前記中央部の下端に前記下端部を接合する工程と、
前記容器本体への蓋部の取付けを行う工程と
を有する
液晶材料貯蔵容器の製造方法。
【請求項２】
前記液晶材料貯蔵容器が、前記容器本体を下方から支持する脚部を備え、
前記中央部の上端に前記上端部を接合し、前記中央部の下端に前記下端部を接合する工程の後に、
前記容器本体に対して前記脚部を接合する工程を有する
請求項１記載の液晶材料貯蔵容器の製造方法。
【請求項３】
前記中央部と前記下端部との接合箇所を避けて、前記脚部を前記容器本体に接合する請求項２記載の液晶材料貯蔵容器の製造方法。
【請求項４】
前記脚部が、側方から前記凹部の全周を囲むと共に前記容器本体の前記底部の外壁面から前記凹部の下端よりも下方に延在する囲壁とされ、
前記脚部を前記容器本体に接合する際に、前記脚部と前記容器本体とによって囲まれた空間に不活性ガスを封入する
請求項２または３記載の液晶材料貯蔵容器の製造方法。
【請求項５】
平面視にて、前記容器本体の前記底部が円形であり、前記凹部が底部の中央に配置されている請求項１〜４いずれか一項の液晶材料貯蔵容器の製造方法。
【請求項６】
前記容器本体の前記底部の上面が前記凹部に向かうに連れて下降する傾斜面とされている請求項１〜５いずれか一項の液晶材料貯蔵容器の製造方法。
【請求項７】
前記容器本体は、チタンを主成分とする素材により形成されている請求項１〜６いずれか一項に記載の液晶材料貯蔵容器の製造方法。
【手続補正２】
【補正対象書類名】明細書
【補正対象項目名】発明の名称
【補正方法】変更
【補正の内容】
【発明の名称】液晶材料貯蔵容器の製造方法
【手続補正書】
【提出日】令和2年9月18日(2020.9.18)
【手続補正１】
【補正対象書類名】明細書
【補正対象項目名】００１１
【補正方法】変更
【補正の内容】
【００１１】
【図１】ＯＬＥＤ表示装置の構成例を模式的に示す。
【図２】ＯＬＥＤ表示装置の断面構造の一部を模式的に示す。
【図３Ａ】有機発光層の蒸着に使用されるＦＭＭモジュール及びリニアソースの構成例を模式的に示す。
【図３Ｂ】ファインメタルマスク（ＦＭＭ）の構成例を模式的に示す。
【図４】画素レイアウトの例を示す。
【図５】リアル解像度のデルタナブラ配列の画素の色パターンを示す。
【図６】図４に示す八角形画素の画素レイアウトにおける、行方向表示画素ピッチＤＰｘ、列方向表示画素ピッチＤＰｙ、行方向画素ピッチＰｘ、及び列方向画素ピッチＰｙの関係を示す。
【図７】赤、緑、又は青の任意色の、画素、アノード電極、及び、ＦＭＭ開口のレイアウトを示す。
【図８】画素又はＦＭＭ開口の形状の例を示す。
【図９】図４と同一の画素レイアウトにおける、画素（アノード電極）及び配線のレイアウト並びに画素（アノード電極）と配線との接続関係の例を模式的に示す。
【図１０】図９に示す画素レイアウトにおける、画素の駆動のタイミングチャートを示す。
【図１１】赤、緑、又は青の任意色のＦＭＭのＦＭＭ開口レイアウトを示す。
【図１２】赤、緑、又は青の任意色のＦＭＭのＦＭＭ開口レイアウトの他の例を示す。
【図１３】レンダリングにより画像を表示するデルタナブラ配列の、画素レイアウトを示す。
【図１４】デルタナブラ縦方向２／３画素レンダリングの、画素の色パターンを示す。
【図１５】デルタナブラ縦方向２／３画素レンダリングに対応する、赤、緑、又は青の任意色の、画素、アノード電極、及び、ＦＭＭ開口のレイアウトを示す。
【図１６】レンダリングにより画像を表示するデルタナブラ配列の、画素レイアウトを示す。
【図１７】デルタナブラ横方向２／３画素レンダリングの、画素の色パターンを示す。
【図１８】デルタナブラ横方向２／３画素レンダリングに対応する、赤、緑、又は青の任意色の、画素、アノード電極、及び、ＦＭＭ開口のレイアウトを示す。
【手続補正２】
【補正対象書類名】明細書
【補正対象項目名】００８４
【補正方法】変更
【補正の内容】
【００８４】
図６は、図４に示す八角形画素の画素レイアウトにおける、行方向表示画素ピッチＤＰｘ、列方向表示画素ピッチＤＰｙ、行方向画素ピッチＰｘ、及び列方向画素ピッチＰｙの関係を示す。行方向画素ピッチＰｘは、行方向表示画素ピッチＤＰｘの２／３である。
【手続補正３】
【補正対象書類名】明細書
【補正対象項目名】００８５
【補正方法】変更
【補正の内容】
【００８５】
列方向画素ピッチＰｙは、列方向表示画素ピッチＤＰｙ（ＤＰｘ）の１／２である。行方向画素ピッチＰｘと列方向画素ピッチＰｙの比は、（４／３）対１である。図６の例において、ＦＭＭ開口の行方向の長さＷｘは、行方向画素ピッチＰｘと一致している。また、ＦＭＭ開口の列方向の長さＷｙは、列方向画素ピッチＰｙと一致している。行方向に隣接する画素の重心間の中央及び列方向において隣接する画素の重心間の中央は、ＦＭＭ開口の外周上に位置する。
【手続補正４】
【補正対象書類名】明細書
【補正対象項目名】０１３５
【補正方法】変更
【補正の内容】
【０１３５】
行方向画素ピッチＰｘと列方向画素ピッチＰｙの比は、８対９である。リアル解像度と同様に、ＦＭＭ開口の行方向の長さＷｘは、行方向画素ピッチＰｘと一致している。また、ＦＭＭ開口の列方向の長さＷｙは、列方向画素ピッチＰｙと一致している。
【手続補正５】
【補正対象書類名】明細書
【補正対象項目名】０１４９
【補正方法】変更
【補正の内容】
【０１４９】
行方向画素ピッチＰｘと列方向画素ピッチＰｙの比は、２対１である。リアル解像度と同様に、ＦＭＭ開口の行方向の長さＷｘは、行方向画素ピッチＰｘと一致している。また、ＦＭＭ開口の列方向の長さＷｙは、列方向画素ピッチＰｙと一致している。
【手続補正６】
【補正対象書類名】図面
【補正対象項目名】図１５
【補正方法】変更
【補正の内容】
【図１５】
2019079759.tif 000001
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
周辺機器と、
前記周辺機器と通信可能な情報処理装置と、を含むシステムであって、
音声入力を受け付ける受付手段と、
前記受付手段によって受け付けられた情報に、処理の実行を要求するための必要な要求情報が含まれているかを判定する第一の判定手段と、
前記第一の判定手段によって前記要求情報が含まれていると判定された場合、前記処理を実行する実行手段と、
前記実行手段によって前記処理が実行された結果、生成された前記要求情報に対する応答情報に属性情報が含まれているかを判定する第二の判定手段と、
前記第二の判定手段による判定結果に応じて、前記応答情報を音声出力する出力手段と、を有することを特徴とするシステム。
【請求項２】
前記第一の判定手段によって前記要求情報が含まれていないと判定された場合、前記要求情報が取得できるまで前記受付手段による音声入力を要求することを特徴とする請求項１に記載のシステム。
【請求項３】
前記出力手段は、
前記第二の判定手段によって前記応答情報に第一の属性情報が含まれていると判定された場合、前記応答情報を音声出力し、
前記第二の判定手段によって前記応答情報に第二の属性情報が含まれていると判定された場合、前記応答情報を文字出力することを特徴とする請求項１または２に記載のシステム。
【請求項４】
前記第二の属性情報が含まれる対象となる前記応答情報は、
前記情報処理装置の無線通信に関する設定情報であることを特徴とする請求項３に記載のシステム。
【請求項５】
周辺機器と、
前記周辺機器と通信可能な情報処理装置と、を含むシステムの制御方法であって、
音声入力を受け付ける受付ステップと、
前記受付ステップによって受け付けられた情報に、処理の実行を要求するための必要な要求情報が含まれているかを判定する第一の判定ステップと、
前記第一の判定ステップによって前記要求情報が含まれていると判定された場合、前記処理を実行する実行ステップと、
前記実行ステップによって前記処理が実行された結果、生成された前記要求情報に対する応答情報に属性情報が含まれているかを判定する第二の判定ステップと、
前記第二の判定ステップによる判定結果に応じて、前記応答情報を音声出力する出力ステップと、を有することを特徴とするシステムの制御方法。
【請求項６】
前記第一の判定ステップによって前記要求情報が含まれていないと判定された場合、前記要求情報が取得できるまで前記受付ステップによる音声入力を要求することを特徴とする請求項５に記載のシステムの制御方法。
【請求項７】
前記出力ステップは、
前記第二の判定ステップによって前記応答情報に第一の属性情報が含まれていると判定された場合、前記応答情報を音声出力し、
前記第二の判定ステップによって前記応答情報に第二の属性情報が含まれていると判定された場合、前記応答情報を文字出力することを特徴とする請求項５または６に記載のシステムの制御方法。
【請求項８】
前記第二の属性情報が含まれる対象となる前記応答情報は、
前記情報処理装置の無線通信に関する設定情報であることを特徴とする請求項７に記載のシステムの制御方法。
【手続補正２】
【補正対象書類名】明細書
【補正対象項目名】０００７
【補正方法】変更
【補正の内容】
【０００７】
周辺機器と、
前記周辺機器と通信可能な情報処理装置と、を含むシステムであって、
音声入力を受け付ける受付手段と、
前記受付手段によって受け付けられた情報に、処理の実行を要求するための必要な要求情報が含まれているかを判定する第一の判定手段と、
前記第一の判定手段によって前記要求情報が含まれていると判定された場合、前記処理を実行する実行手段と、
前記実行手段によって前記処理が実行された結果、生成された前記要求情報に対する応答情報に属性情報が含まれているかを判定する第二の判定手段と、
前記第二の判定手段による判定結果に応じて、前記応答情報を音声出力する出力手段と、を有することを特徴とする。
【手続補正書】
【提出日】令和2年4月17日(2020.4.17)
【手続補正１】
【補正対象書類名】特許請求の範囲
【補正対象項目名】請求項１
【補正方法】変更
【補正の内容】
【請求項１】
外部の一又は複数の入力用フィールド機器により収集された情報に基づく所定の演算を実行し、該演算の結果に基づいて外部の出力用フィールド機器を制御する又は駆動するプロセス制御装置であって、
a)制御のための演算処理を行う演算部と、後記入出力モジュールとの間の通信を制御する通信制御部と、を含むコントローラユニットと、
b)一又は複数のアナログ入力用フィールド機器からアナログ入力信号を収集するアナログ入力部と、一又は複数のアナログ出力用フィールド機器にアナログ出力信号を出力するアナログ出力部と、一又は複数のデジタル入力用フィールド機器からデジタル入力信号を収集するデジタル入力部と、一又は複数のデジタル出力用フィールド機器にデジタル出力信号を出力するデジタル出力部と、前記コントローラユニットとの間の通信を制御する通信制御部と、該通信制御部と前記アナログ入力部、前記アナログ出力部 、前記デジタル入力部、及び前記デジタル出力部との間に介挿され、該通信制御部を介して前記コントローラユニットから受け取った出力データをアナログ出力用フィールド機器及びデジタル出力用フィールド機器が利用可能な形式に変換しつつ分配する一方、前記アナログ入力部及び前記デジタル入力部を介してアナログ入力用フィールド機器及びデジタル入力用フィールド機器から受け取った入力データを前記コントローラユニットが処理可能な形式に変換しつつ集約する入出力制御部と、を含む入出力モジュールと、
c)前記コントローラユニット及び前記入出力モジュールがそれぞれ装着され、該コントローラユニットと該入出力モジュールとの間の通信のための信号線が集約されたベースラックと、
を備えることを特徴とするプロセス制御装置。
【手続補正２】
【補正対象書類名】明細書
【補正対象項目名】００１１
【補正方法】変更
【補正の内容】
【００１１】
上記課題を解決するために成された本発明は、外部の一又は複数の入力用フィールド機器により収集された情報に基づく所定の演算を実行し、該演算の結果に基づいて外部の出力用フィールド機器を制御する又は駆動するプロセス制御装置であって、
a)制御のための演算処理を行う演算部と、後記入出力モジュールとの間の通信を制御する通信制御部と、を含むコントローラユニットと、
b)一又は複数のアナログ入力用フィールド機器からアナログ入力信号を収集するアナログ入力部と、一又は複数のアナログ出力用フィールド機器にアナログ出力信号を出力するアナログ出力部と、一又は複数のデジタル入力用フィールド機器からデジタル入力信号を収集するデジタル入力部と、一又は複数のデジタル出力用フィールド機器にデジタル出力信号を出力するデジタル出力部と、前記コントローラユニットとの間の通信を制御する通信制御部と、該通信制御部と前記アナログ入力部、前記アナログ出力部 、前記デジタル入力部、及び前記デジタル出力部との間に介挿され、該通信制御部を介して前記コントローラユニットから受け取った出力データをアナログ出力用フィールド機器及びデジタル出力用フィールド機器が利用可能な形式に変換しつつ分配する一方、前記アナログ入力部及び前記デジタル入力部を介してアナログ入力用フィールド機器及びデジタル入力用フィールド機器から受け取った入力データを前記コントローラユニットが処理可能な形式に変換しつつ集約する入出力制御部と、を含む入出力モジュールと、
c)前記コントローラユニット及び前記入出力モジュールがそれぞれ装着され、該コントローラユニットと該入出力モジュールとの間の通信のための信号線が集約されたベースラックと、
を備えることを特徴としている。
【手続補正３】
【補正対象書類名】明細書
【補正対象項目名】００２９
【補正方法】変更
【補正の内容】
【００２９】
コントローラユニット１の通信制御部１２は入出力モジュール２の通信制御部２１への下りデータの送出を上述のように定められた通信周期（例えば１０msec）毎に実行する。通信制御部１２による下りデータの送出は制御演算部１１による演算処理と並行して実施され、通信制御部１２はその直前の演算周期における演算処理で求まった制御値等の出力データを送出する。
なお、入出力モジュール２の通信制御部２１は、受け取ったデータ中のヘッダの解析結果から該データがその入出力モジュール２に宛てられたデータでないことを認識した場合、そのデータを無視すればよい。
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
情報処理端末に
チケットデータを取得させるステップと、
前記チケットデータに対応付けられた電子チケットを示す画面を、当該電子チケットの操作ステータスを把握可能な態様で表示するステップと、
前記電子チケットの操作ステータスを変更する操作を受け付けるステップと、
前記操作ステータスを変更する操作を受け付けたことに基づいて、前記電子チケットの操作ステータスを、操作済に対応するステータスに変更するステップと、
前記電子チケットの操作ステータスを変更する操作を受け付けたことに基づいて、前記チケットデータの使用ステータスを変更するための使用ステータス変更リクエストを送信するステップと、を実行させ、
前記使用ステータス変更リクエストは、条件を満たさない場合には所定時間ごとに送信がリトライされる、情報処理プログラム。
【請求項２】
前記情報処理端末に、
前記使用ステータス変更リクエストが送信されない場合に、前記使用ステータス変更リクエストの送信を所定回数リトライするステップをさらに実行させる、
請求項１に記載の情報処理プログラム。
【請求項３】
前記チケットデータに対応する所定時間内である場合に、前記電子チケットの操作ステータスを変更する操作を受け付けることを可能とする、
請求項１又は２に記載の情報処理プログラム。
【請求項４】
前記情報処理端末に、
前記使用ステータス変更リクエストを送信する前に、通信可能か否かを判定するステップと、
前記判定の結果が通信可能である場合に、前記使用ステータス変更リクエストを送信するステップをさらに実行させる、
請求項１から３のいずれか一項に記載の情報処理プログラム。
【請求項５】
前記情報処理端末に、
前記電子チケットとともに、当該電子チケットに対応づけられたオブジェクトを表示するステップをさらに実行させ、
第１イベントに対応付けられた第１電子チケットに対応づけられた第１オブジェクトと、第２イベントに対応付けられた第２電子チケットに対応づけられた第２オブジェクトとは、互いに異なるオブジェクトである、
請求項１から４のいずれか一項に記載の情報処理プログラム。
【請求項６】
前記オブジェクトは、ユーザの操作に応答して動的に変化するオブジェクトを含む、請求項５に記載の情報処理プログラム。
【請求項７】
前記オブジェクトは、背景である、請求項５又は６に記載の情報処理プログラム。
【請求項８】
前記情報処理端末に、
前記電子チケットの操作ステータスを未操作で表示させた以降で、前記電子チケットの操作ステータスを操作済で表示させる以前に、当該操作ステータスの変更を取り消せない旨の通知を行うステップをさらに実行させる、
請求項１から７のいずれか一項に記載の情報処理プログラム。
【請求項９】
前記電子チケットの操作ステータスを操作済で表示させた以降、前記電子チケットの操作ステータスを未操作に変更させない、
請求項１から８のいずれか一項に記載の情報処理プログラム。
【請求項１０】
前記電子チケットの操作ステータスを操作済で表示させた以降、所定の操作を受け付けたことに応答して、前記電子チケットの操作ステータスを未操作で表示させる、
請求項１から９のいずれか一項に記載の情報処理プログラム。
【請求項１１】
前記所定の操作は、前記チケットデータに予め対応付けられている操作である、
請求項１０に記載の情報処理プログラム。
【請求項１２】
前記所定の操作は、前記情報処理端末の画面への操作入力、音声入力、文字入力のいずれかである、
請求項１０又は１１に記載の情報処理プログラム。
【請求項１３】
チケットデータを取得するステップと、
前記チケットデータに対応付けられた電子チケットを示す画面を、当該電子チケットの操作ステータスを把握可能な態様で表示するステップと、
前記電子チケットの操作ステータスを変更する操作を受け付けるステップと、
前記操作ステータスを変更する操作を受け付けたことに基づいて、前記電子チケットの操作ステータスを、操作済に対応するステータスに変更するステップと、
前記電子チケットの操作ステータスを変更する操作を受け付けたことに基づいて、前記チケットデータの使用ステータスを変更するための使用ステータス変更リクエストを送信するステップと、を実行させ、
前記使用ステータス変更リクエストは、条件を満たさない場合には所定時間ごとに送信がリトライされる、情報処理方法。
【請求項１４】
チケットデータを取得する取得処理部と、
前記チケットデータに対応付けられた電子チケットを示す画面を、当該電子チケットの操作ステータスを把握可能な態様で表示する表示処理部と、
前記電子チケットの操作ステータスを変更する操作を受け付ける受付処理部と、
前記操作ステータスを変更する操作を受け付けたことに基づいて、前記電子チケットの操作ステータスを、操作済に対応するステータスに変更する送信処理部と、を備え、
前記送信処理部は、前記電子チケットの操作ステータスを変更する操作を受け付けたことに基づいて、前記チケットデータの使用ステータスを変更するための使用ステータス変更リクエストを送信し、
前記使用ステータス変更リクエストは、条件を満たさない場合には所定時間ごとに送信がリトライされる、リクエスト情報処理端末。
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
特定のオブジェクトを描写するための候補である可能性が高い１つまたは複数の候補デジタル画像を見つける方法であって、
前記特定のオブジェクトを描写するオブジェクトデジタル画像（２０５）を受信すること（Ｓ１０２）と、
畳み込みニューラルネットワーク（２１０）のベースニューラルネットワーク（２５０）における畳み込み層を通じて前記オブジェクトデジタル画像を処理し、前記オブジェクトデジタル画像（２０５）において描写された前記特定のオブジェクトに関するアクティベーションマップ（２５０）をポピュレートすること（Ｓ１０４）と、
前記畳み込みニューラルネットワーク（２１０）の分類サブネット（２２０）を用いて、複数の所定のクラスの中から、前記オブジェクトデジタル画像（２０５）において描写された前記特定のオブジェクトのためのクラスを特定すること（Ｓ１０６）であって、前記分類サブネット（２２０）は、前記ベースニューラルネットワーク（２５０）内のアクティベーションマップ（２５０）に結合されている、特定することと、
前記オブジェクトデジタル画像において描写された前記特定のオブジェクトのための特定されたクラスに基づいて、前記畳み込みニューラルネットワーク（２１０）の複数の特徴ベクトル生成サブネット（２３０ａ、２３０ｂ、２３０ｃ）から特徴ベクトル生成サブネット（２３０ａ）を選択すること（Ｓ１０８）であって、前記複数の特徴ベクトル生成サブネット（２３０ａ、２３０ｂ、２３０ｃ）の各々は、前記複数の所定のクラスのうちの少なくとも１つにリンクされる、選択することと、
選択された特徴ベクトル生成サブネット（２３０ａ）によって、前記オブジェクトデジタル画像（２０５）において描写された前記特定のオブジェクトの特徴ベクトル（２３２ａ）を特定すること（Ｓ１１０）と、
前記オブジェクトデジタル画像（２０５）において描写された前記特定のオブジェクトの特定された特徴ベクトル（２３２ａ）と、オブジェクトの登録された特徴ベクトル（２４２）を含むデータベース（２４０）に登録された特徴ベクトル（２４２）との間の１つまたは複数のマッチを見つけることによって、前記オブジェクトデジタル画像（２０５）において描写された前記特定のオブジェクトを描写するための候補である可能性が高い１つまたは複数の候補デジタル画像を見つけること（Ｓ１１０）であって、各登録された特徴ベクトル（２４２）は、デジタル画像に関連付けられている、見つけることと、
を含む、方法。
【請求項２】
前記分類サブネット（２２０）は、アクティベーションマップ（２５２）に結合された１つまたは複数の全結合層（２２２）を含む、請求項１に記載の方法。
【請求項３】
前記分類サブネット（２２０）は、前記１つまたは複数の全結合層（２２２）に結合されたソフトマックス層（２２４）を更に含む、請求項２に記載の方法。
【請求項４】
前記複数の特徴ベクトル生成サブネット（２３０ａ、２３０ｂ、２３０ｃ）のうちの１つまたは複数が、アクティベーションマップ（２５２）に結合された１つまたは複数の全結合層（２３４ａ、２３４ｂ、２３４ｃ）を含む、請求項１から３のいずれか一項に記載の方法。
【請求項５】
前記複数の特徴ベクトル生成サブネット（２３０ａ、２３０ｂ、２３０ｃ）のうちの１つまたは複数が、前記アクティベーションマップ（２５２）からのデータを正規化ベクトル構造にマッピングし、特定された特徴ベクトル（２３２ａ）を生成するようになっている埋め込み正規化層（２３６ａ、２３６ｂ、２３６ｃ）を更に含む、請求項４に記載の方法。
【請求項６】
前記特定された特徴ベクトル（２３２ａ）は、前記埋め込み正規化層からの値を含むベクトルである、請求項５に記載の方法。
【請求項７】
前記オブジェクトデジタル画像（２０５）において描写された前記特定のオブジェクトの前記特定された特徴ベクトル（２３２ａ）と、前記データベース（２４０）に登録された前記特徴ベクトル（２４２）との間の１つまたは複数のマッチを見つけることは、
前記データベース（２４０）に登録された特徴ベクトル（２４２）と、前記オブジェクトデジタル画像（２０５）において描写された前記特定のオブジェクトの前記特定された特徴ベクトル（２３２ａ）との間の距離を計算すること（Ｓ１１０ｂ）を含む、請求項１から６のいずれか一項に記載の方法。
【請求項８】
前記計算される距離はユークリッド距離である、請求項７に記載の方法。
【請求項９】
前記オブジェクトデジタル画像（２０５）において描写された前記特定のオブジェクトの前記特定された特徴ベクトル（２３２ａ）と、前記データベース（２４０）に登録された特徴ベクトル（２４２）とを比較することによって、前記オブジェクトデジタル画像（２０５）において描写された前記特定のオブジェクトを描写するための候補である可能性が高い１つまたは複数の候補デジタル画像を見つけること（Ｓ１１０）は、
ソートされた類似度リストを作成すること（Ｓ１１０ｃ）であって、各特徴ベクトルは、その対応する計算された距離に従ってソートされる、作成することを更に含む、請求項１から８のいずれか一項に記載の方法。
【請求項１０】
前記特徴ベクトルのうち、前記オブジェクトデジタル画像において描写された前記特定のオブジェクトの前記特定された特徴ベクトルとマッチする１つまたは複数の特定の特定ベクトルは、
前記特定された特徴ベクトル（２３２ａ）への計算された距離が、他の残りの計算された距離よりも小さいこと、
前記特定された特徴ベクトル（２３２ａ）への計算された距離が、閾値よりも小さいこと、および
固定数の特定の特徴ベクトルが、前記データベースに登録された前記特徴ベクトルのうち、前記特定された特徴ベクトルに対し最小の距離を有すること、
のリストからの少なくとも１つの特徴を有する、請求項１から８のいずれか一項に記載の方法。
【請求項１１】
前記オブジェクトデジタル画像（２０５）において描写された前記特定のオブジェクトの前記特定された特徴ベクトル（２３２ａ）を前記データベース（２４０）に記憶し、前記特定された特徴ベクトル（２３２ａ）を前記オブジェクトデジタル画像（２０５）と関連付けること（Ｓ１１２）を更に含む、請求項１から１０のいずれか一項に記載の方法。
【請求項１２】
前記データベース（２４０）は複数のクラスデータベース（２４０ａ、２４０ｂ、２４０ｃ）に分割され、各クラスデータベースは、前記クラスに属するオブジェクトの登録された特徴ベクトル（２４２ａ、２４２ｂ、２４２ｃ）を含み、
前記方法は、前記オブジェクトデジタル画像（２０５）において描写された前記特定のオブジェクトのための前記特定されたクラスに基づいて、前記複数のクラスデータベース（２４０ａ、２４０ｂ、２４０ｃ）から特定のクラスデータベース（２４０ａ）を選択すること（Ｓ１０９）を更に含む、請求項１から１１のいずれか一項に記載の方法（１００）。
【請求項１３】
前記オブジェクトデジタル画像（２０５）において描写された前記特定のオブジェクトの前記特定された特徴ベクトル（２３２ａ）を前記特定のクラスデータベース（２４０ａ）に記憶し、前記特定された特徴ベクトル（２３２ａ）を前記オブジェクトデジタル画像（２０５）と関連付けることを更に含む、請求項１２に記載の方法。
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
少なくとも１つのメモリと、
少なくとも１つのプロセッサと、を備え、
前記少なくとも１つのプロセッサは、
ディスクリミネータを構成する第１のネットワークに、ジェネレータが生成したデータ又は訓練データを入力することと、
前記第１のネットワークの出力とコンディション情報とに基づいて、第１のスカラー値を計算することと、
前記ディスクリミネータを構成する第２のネットワークに前記第１のネットワークの出力を入力し、第２のスカラー値を計算することと、
前記第１のスカラー値と前記第２のスカラー値とに基づいて、損失を計算することと、
前記損失に基づいて、少なくとも前記ディスクリミネータおよび前記ジェネレータのいずれかを更新することと、
を実行可能に構成される、
モデル生成装置。
【請求項２】
前記コンディション情報は、ワン・ホット・エンコードされたデータを含む、
請求項１に記載のモデル生成装置。
【請求項３】
請求項１又は２に記載のモデル生成装置で生成されたジェネレータにノイズを入力することでデータを生成する生成方法。
【請求項４】
ジェネレータとディスクリミネータの２つのニューラルネットワークから構成される敵対生成ネットワークの生成方法であって、
前記ディスクリミネータが、下記式（１１）のモデルで演算を行った結果を出力する、生成方法。
【数１】
2019079436.tif 000001
ここで、
xは、前記ジェネレータにより生成されたデータ又は訓練データ、
yは、xのコンディション情報、
Vは、yの埋め込み行列、
2019079436.tif 000002
は、xを引数にしてベクトルを出力する関数、
2019079436.tif 000003
は、
2019079436.tif 000004
を引数にしてスカラー値を出力する関数、
2019079436.tif 000005
は、学習パラメータであり、損失を最小化するように訓練されるパラメータである。
【請求項５】
上記式（１１）のyとして、ワン・ホット・エンコードされたデータを用いる、請求項４に記載の生成方法。
【請求項６】
ジェネレータとディスクリミネータの２つのニューラルネットワークから構成される条件付き敵対生成ネットワークを内蔵した画像処理装置であって、
前記ディスクリミネータが、上記式（１１）のモデルで演算を行う演算部を有する、生成装置。
【請求項７】
上記式（１１）のyが、ワン・ホット・エンコードされたデータである、請求項６に記載の生成装置。
【請求項８】
少なくとも１台のコンピュータに請求項４又は５に記載の生成方法を実行させるプログラム。
【請求項９】
少なくとも１つのプロセッサにより、
ディスクリミネータを構成する第１のネットワークに、ジェネレータが生成したデータ又は訓練データを入力することと、
前記第１のネットワークの出力とコンディション情報とに基づいて、第１のスカラー値を計算することと、
前記ディスクリミネータを構成する第２のネットワークに前記第１のネットワークの出力を入力し、第２のスカラー値を計算することと、
前記第１のスカラー値と前記第２のスカラー値とに基づいて、損失を計算することと、
前記損失に基づいて、少なくとも前記ディスクリミネータおよび前記ジェネレータのいずれかを更新することと、
を備える、モデル生成方法。
【請求項１０】
少なくとも１つのプロセッサに、
ディスクリミネータを構成する第１のネットワークに、ジェネレータが生成したデータ又は訓練データを入力することと、
前記第１のネットワークの出力とコンディション情報とに基づいて、第１のスカラー値を計算することと、
前記ディスクリミネータを構成する第２のネットワークに前記第１のネットワークの出力を入力し、第２のスカラー値を計算することと、
前記第１のスカラー値と前記第２のスカラー値とに基づいて、損失を計算することと、
前記損失に基づいて、少なくとも前記ディスクリミネータおよび前記ジェネレータのいずれかを更新することと、
を備える方法を実行させる、プログラム。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
通常区間と有利区間とを含む複数種類の区間のうちのいずれかに制御可能な区間制御手段と、
第１状態と第２状態とを含む複数種類の状態のうちのいずれかに制御可能な状態制御手段と、
前記有利区間において前記導出操作手段の操作態様を報知する報知状態に制御可能な報知状態制御手段と、
有利度を設定可能な設定手段と、を備え、
前記区間制御手段は、
前記通常区間において有利区間移行条件が成立したときに前記有利区間に制御し、
前記有利区間において有利区間終了条件が成立したときに前記通常区間に制御し、
前記有利区間移行条件は、前記第１状態および前記第２状態のいずれにおいても、前記通常区間において同じ確率で成立し、かつ前記設定手段によっていずれの前記有利度が設定されていても同じ確率で成立する、スロットマシン。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
この発明は、上述した従来のスロットマシンに鑑み考え出されたものである。
【手続補正４】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果を導出させるために操作される導出操作手段と、
通常区間と有利区間とを含む複数種類の区間のうちのいずれかに制御可能な区間制御手段と、
第１状態と第２状態とを含む複数種類の状態のうちのいずれかに制御可能な状態制御手段と、
前記有利区間において前記導出操作手段の操作態様を報知する報知状態に制御可能な報知状態制御手段と、
有利度を設定可能な設定手段と、を備え、
前記区間制御手段は、
前記通常区間において有利区間移行条件が成立したときに前記有利区間に制御し、
前記有利区間において有利区間終了条件が成立したときに前記通常区間に制御し、
前記有利区間移行条件は、前記第１状態および前記第２状態のいずれにおいても、前記通常区間において同じ確率で成立し、かつ前記設定手段によっていずれの前記有利度が設定されていても同じ確率で成立する。
スロットマシンは、以下のように構成されてもよい。
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、第３実施形態に係るスロットマシン１）において、
遊技者が表示結果を導出させるために操作する導出操作手段（たとえば、ストップスイッチ８Ｌ，８Ｃ，８Ｒ）と、
表示結果の導出を許容するか否かを決定する事前決定手段（たとえば、メイン制御部４１による内部抽選処理）と、
通常遊技状態（たとえば、非ボーナス状態）よりも遊技用価値の付与を伴う付与表示結果（たとえば、小役の図柄組合せ）の導出が許容される確率が高い特別遊技状態（たとえば、ＢＢ）に制御する特別遊技状態制御手段（たとえば、メイン制御部４１によるＢＢに制御する処理）と、
前記導出操作手段の操作態様（たとえば、押し順）を報知する報知状態（たとえば、ＡＴ）に制御する報知状態制御手段（たとえば、メイン制御部４１によるＡＴに制御する処理）と、
有利度合い（たとえば、設定値）を設定する設定手段（たとえば、メイン制御部４１による設定変更処理）とを備え、
前記特別遊技状態への制御を伴う特別表示結果（たとえば、ＢＢの図柄組合せ）の導出が許容される確率は、前記有利度合いに応じて異なり（たとえば、図３８参照）、
前記報知状態制御手段は、前記特別遊技状態の終了後の遊技状態（たとえば、ＲＴ４）において前記報知状態への制御期間を延長する延長制御（たとえば、上乗せ抽選）を実行可能であり、
前記延長制御に関する前記有利度合いの設定差はない（たとえば、図４３（ｄ）に示すように上乗せ抽選は当選確率に設定差がなく、かつ抽選契機となる上乗せリプレイ当選にも設定差がない）。